(57)【特許請求の範囲】
【請求項１】
デジタル同期通信網から複数本の回線が接続される回線収容インタフェース手段と、前記回線収容インタフェース手段に接続された各回線から所定時間クロックが抽出されない場合に、当該回線のクロック断を検出するクロック断検出手段と、前記複数本の回線について予め設定された優先度に従って優先順位を決定するとともに、該優先順位を前記クロック断検出手段によるクロック断検出信号に基づいて制御する優先順位制御手段と、および該優先順位制御手段により決定された優先順位に従って、前記複数本の回線のうちの１回線のクロックを回線用クロックとして選択抽出するセレクト手段とを具備するクロック従属選択回路において、
当該回線が接続状態にない状態で、前記クロック断検出手段でクロック断が検出された場合には、当該回線の前記クロック断検出信号およびクロック断アラームの出力を禁止するクロック断アラーム制御手段を具備することを特徴とするクロック従属選択回路。
【請求項２】
デジタル同期通信網から複数本の回線が接続される回線収容インタフェース手段と、前記回線収容インタフェース手段に接続された各回線から所定時間クロックが抽出されない場合に、当該回線のクロック断を検出するクロック断検出手段と、前記複数本の回線について予め設定された優先度に従って優先順位を決定するとともに、該優先順位を前記クロック断検出手段によるクロック断検出信号に基づいて制御する優先順位制御手段と、および該優先順位制御手段により決定された優先順位に従って、前記複数本の回線のうちの１回線のクロックを回線用クロックとして選択抽出するセレクト手段とを具備するクロック従属選択回路において、
前記クロック断検出手段でクロック断が検出された場合、当該回線が接続状態にあり且つクロック従属状態にある場合にのみ、当該回線の前記クロック断検出信号およびクロック断アラームを出力させるクロック断アラーム制御手段を具備することを特徴とするクロック従属選択回路。
【請求項３】
デジタル同期通信網から複数本の回線が接続された回線収容インタフェース部と、
前記回線収容インタフェース部に接続した各回線から所定時間クロックが抽出されない場合に、当該回線のクロック断を検出するクロック断検出部と、
当該回線が接続状態にない状態で、前記クロック断検出部でクロック断が検出された場合には、当該回線のクロック断検出信号およびクロック断アラームの出力を禁止するクロック断アラーム制御部と、
前記複数本の回線について予め設定された優先度に従って優先順位を決定するとともに、該優先順位を前記クロック断アラーム制御部の前記クロック断検出信号に基づいて制御する優先順位制御部と、
前記優先順位制御部により決定された優先順位に従って、前記複数本の回線のうちの１回線のクロックを回線用クロックとして選択抽出するセレクト回路と、を具備することを特徴とするクロック従属選択回路。
【請求項４】
デジタル同期通信網から複数本の回線を接続し、且つクロック従属状態ではクロック従属選択信号を出力する回線収容インタフェース部と、
前記回線収容インタフェース部に接続した各回線から所定時間クロックが抽出されない場合に、当該回線のクロック断を検出するクロック断検出部と、
前記クロック断検出部でクロック断が検出された場合、当該回線が接続状態にあり且つ前記回線収容インタフェース部からクロック従属選択信号が出力されている場合にのみ、当該回線のクロック断検出信号およびクロック断アラームを出力させるクロック断アラーム制御部と、
前記複数本の回線について予め設定された優先度に従って優先順位を決定するとともに、該優先順位を前記クロック断アラーム制御部の前記クロック断検出信号に基づいて制御する優先順位制御部と、
前記優先順位制御部により決定された優先順位に従って、前記複数本の回線のうちの１回線のクロックを回線用クロックとして選択抽出するセレクト回路と、を具備することを特徴とするクロック従属選択回路。
【発明の詳細な説明】
【０００１】
【発明の属する技術分野】
この発明は、ディジタル同期伝送系における複数の回線から選択的に従属先を選定し、当該回線からクロックを抽出して伝送系を同期させるクロック従属選択回路に関する。
【０００２】
【従来の技術】
ディジタル同期伝送系に用いられるデジタル通信用多重化装置においては、ディジタル同期通信網の複数の回線から選択的にクロックを抽出して、当該クロックに同期伝送系を従属させる。従来、このような従属クロックを複数の回線から選択的に取り出して出力するクロック従属選択回路は、図４に示すように構成されていた。
【０００３】
図４に示すクロック従属選択回路は、ディジタル同期通信網１の複数の回線、例えば回線１〜回線４の４つの回線、にそれぞれ回線収容インタフェース部２ａ〜２ｄが接続され、これら各回線収容インタフェース部２ａ〜２ｄにクロック断検出部３ａ〜３ｄが各別に接続されている。
【０００４】
クロック断検出部３ａ〜３ｄは、回線収容インタフェース部２ａ〜２ｄから抽出した各回線のクロックが、予め定めた一定時間立ち上がらない場合に、当該回線のクロック断を検出する。これら複数のクロック断検出部３ａ〜３ｄからはクロック断検出信号が優先順位制御部４に供給されるとともに、クロック断検出を示すアラーム出力が出力される。
【０００５】
優先順位制御部４は、予め設定された優先度に従って各回線の優先順位を決定し、最も優先順位の高い優先回線の選択指示をセレクト回路部５に供給する。優先順位制御部４は、最も優先順位の高い優先回線に障害が発生し、クロック断検出部３ａ〜３ｄでクロック断が検出された場合には、当該回線の優先順位を例えば最下位に下げ、その次に高い優先度を有する他の回線を最も高い優先順位とする。優先順位制御部４は、クロック断が検出されていた回線のクロックが復旧した場合には、正常動作クロックが検出されている回線について、所定の優先度に従って優先順位を更新する。
【０００６】
セレクト回路部５は、ディジタル同期通信網１の回線１〜回線４が接続され、且つ優先順位制御部４から優先回線の選択指示出力が与えられている。セレクト回路部５は、優先順位制御部４で最も高い優先順位に選定された優先回線を選択し、当該回線のクロックを抽出して、従属クロックとして出力する。
【０００７】
すなわち、図４に示すクロック従属選択回路においては、次のような動作により、従属クロックの選択を行っている。
【０００８】
デジタル同期通信網１から複数の回線、例えば回線１〜回線４、を回線収容インタフェース部２ａ〜２ｄに接続する。これらの回線から、回線収容インタフェース部２ａ〜２ｄを介してクロック断検出部３ａ〜３ｄにより正常動作クロックを検出する。そして、正常動作クロックが検出された回線のなかから優先順位制御部４により最も優先順位の高い回線をセレクト回路部５により選択し、その回線から抽出されたクロックを従属クロックに使用する。
【０００９】
いずれかの回線のクロックが立ち上がらない場合や回線障害発生時には、クロック断検出部３ａ〜３ｄにより、その回線のクロック断アラームを出力する。このとき、優先順位制御部４は、所定の優先度に従って優先順位を変更する。つまり優先順位制御部４は、クロック断が検出された回線の優先順位を最下位に下げ、その他の回線の優先順位を上げて、他の回線にクロック従属先を切替える。
【００１０】
その後、優先度の高い回線のクロックが復旧した際には、クロック断検出部３ａ〜３ｄがそれを検出してクロック断検出出力およびクロック断アラームを解除する。クロック断検出の解除に応動して、優先順位制御部４が所定の優先度に従って優先順位を当初の状態に変更し、クロック従属先を元の回線に戻す。
【００１１】
このようなクロック従属選択回路に類似する回路の例が、特開平２−５８４４２号公報および特開平５−３１６２５１号公報等に示されている。
【００１２】
【発明が解決しようとする課題】
上述したような従来のクロック従属選択回路は、常時接続されている一般回線においては、全く問題なく使用することができる。しかしながら、呼設定時にのみ回線が接続される方式の専用回線、例えばＩＳＤＮ（Integrated Services Digital Network）回線等、では使用時のみ番号等を入力する事により接続し、通常時は未使用であることが多い。
【００１３】
ここで、ＩＳＤＮ回線について説明する。ＩＳＤＮ回線は呼設定時のみに回線接続される方式を採用しており、次のような接続方式を用いている。
【００１４】
（１）自局側から相手局側への回線接続方法
自局側から相手局側への回線接続に際しては、相手局側のアドレス番号を自局側から入力する。このアドレス番号の入力により、両局間に回線が接続され、両極間での信号の送受信が可能になる。
【００１５】
（２）回線切断方法
回線の切断に際しては、自局側および相手局側のいずれか一方から回線切断信号を送信する。この回線切断信号の送信により両極間の回線が切断される。
【００１６】
このように、呼設定時のみデジタル同期通信網を接続する方式では、未使用伝送路のクロック断検出部３ａ〜３ｄにおいてクロック断が検出される。そのためクロック断検出部３ａ〜３ｄから誤検出によるクロック断検出出力およびアラームが発生するという問題があった。なお、呼設定時のみデジタル同期通信網を接続するＩＳＤＮ回線によるシステムに限らず、常時接続されている一般回線と呼設定時のみデジタル同期通信網を接続するＩＳＤＮ回線とが混在するシステムにおいても、同様の問題がある。
【００１７】
上述したように、常時接続されている一般回線と呼設定時のみ接続されるＩＳＤＮ等の専用回線とが混在する構成のシステムまたは呼設定時のみ接続されるＩＳＤＮ等の専用回線のみにより構成されるシステムの場合、図１に示した従来のクロック従属選択回路では、呼毎に回線接続を行う方式のＩＳＤＮ回線等に基づく問題が発生する。すなわち、呼毎に回線接続を行う方式のＩＳＤＮ回線等においては、クロック断検出部３ａ〜３ｄが、回線障害および装置障害時に発出されるべきクロック断検出出力およびアラームが、呼毎に回線接続を行う方式のＩＳＤＮ回線等の未接続時に誤検出される。
【００１８】
ちなみに、図４における回線１〜回線４が、全て呼毎に回線接続を行う回線であり、回線１のみが接続状態にあり、回線２〜回線３が未接続であったとする。この場合、図５に示すように、回線自体からのクロック断またはアラームが発生していないにもかかわらず、回線２〜回線３のクロック断検出部３ｂ〜３ｄのクロック断アラームが全てオンとなる。
【００１９】
この発明は、上述した事情に鑑みてなされたもので、呼毎に回線接続を行う方式が含まれる通信網に接続する際にも、未接続の回線からの誤ったクロック断検出およびアラームの発生のおそれのないクロック従属選択回路を提供することを目的とする。
【００２０】
【課題を解決するための手段】
上記目的を達成するため、この発明の第１の観点に係るクロック従属選択回路は、
デジタル同期通信網から複数本の回線を接続する回線収容インタフェース手段、前記回線収容インタフェース手段に接続した各回線から所定時間クロックが抽出されない場合に、当該回線のクロック断を検出するクロック断検出手段、前記複数本の回線について予め設定された優先度に従って優先順位を決定するとともに、該優先順位を前記クロック断検出手段によるクロック断検出信号に基づいて制御する優先順位制御手段、および該優先順位制御手段により決定された優先順位に従って、前記複数本の回線のうちの１回線のクロックを回線用クロックとして選択抽出するセレクト手段を具備するクロック従属選択回路において、
当該回線が接続状態でない状態で、前記クロック断検出手段でクロック断が検出された場合には、当該回線の前記クロック断検出信号およびクロック断アラームの出力を禁止するクロック断アラーム制御手段を具備する。
【００２１】
この発明の第２の観点に係るクロック従属選択回路は、
デジタル同期通信網から複数本の回線を接続する回線収容インタフェース手段、前記回線収容インタフェース手段に接続した各回線から所定時間クロックが抽出されない場合に、当該回線のクロック断を検出するクロック断検出手段、前記複数本の回線について予め設定された優先度に従って優先順位を決定するとともに、該優先順位を前記クロック断検出手段によるクロック断検出信号に基づいて制御する優先順位制御手段、および該優先順位制御手段により決定された優先順位に従って、前記複数本の回線のうちの１回線のクロックを回線用クロックとして選択抽出するセレクト手段を具備するクロック従属選択回路において、
前記クロック断検出手段でクロック断が検出された場合、当該回線が接続状態にあり且つクロック従属状態にある場合にのみ、当該回線の前記クロック断検出信号およびクロック断アラームを出力させるクロック断アラーム制御手段を具備する。
【００２２】
この発明の第３の観点に係るクロック従属選択回路は、
デジタル同期通信網から複数本の回線を接続する回線収容インタフェース部と、
前記回線収容インタフェース部に接続した各回線から所定時間クロックが抽出されない場合に、当該回線のクロック断を検出するクロック断検出部と、
当該回線が接続状態でない状態で、前記クロック断検出部でクロック断が検出された場合には、当該回線のクロック断検出信号およびクロック断アラームの出力を禁止するクロック断アラーム制御部と、
前記複数本の回線について予め設定された優先度に従って優先順位を決定するとともに、該優先順位を前記クロック断アラーム制御部の前記クロック断検出信号に基づいて制御する優先順位制御部と、
前記優先順位制御部により決定された優先順位に従って、前記複数本の回線のうちの１回線のクロックを回線用クロックとして選択抽出するセレクト回路と、を具備する。
【００２３】
この発明の第４の観点に係るクロック従属選択回路は、
デジタル同期通信網から複数本の回線を接続し、且つクロック従属状態ではクロック従属選択信号を出力する回線収容インタフェース部と、
前記回線収容インタフェース部に接続した各回線から所定時間クロックが抽出されない場合に、当該回線のクロック断を検出するクロック断検出部と、
前記クロック断検出部でクロック断が検出された場合、当該回線が接続状態にあり且つ前記回線収容インタフェース部からクロック従属選択信号が出力されている場合にのみ、当該回線のクロック断検出信号およびクロック断アラームを出力させるクロック断アラーム制御部と、
前記複数本の回線について予め設定された優先度に従って優先順位を決定するとともに、該優先順位を前記クロック断アラーム制御部の前記クロック断検出信号に基づいて制御する優先順位制御部と、
前記優先順位制御部により決定された優先順位に従って、前記複数本の回線のうちの１回線のクロックを回線用クロックとして選択抽出するセレクト回路と、を具備する。
【００２４】
この発明のクロック従属選択回路においては、回線収容インタフェース手段に接続したディジタル同期通信網の複数本の回線から所定時間クロックが抽出されない場合に、当該回線のクロック断を検出し、前記複数本の回線について予め設定された優先度および前記クロック断の検出に基づいて優先順位を制御設定し、前記複数本の回線のうちの１回線のクロックを回線用クロックとして選択抽出するにあたり、前記クロック断が検出された場合、当該回線が接続状態にない場合には、当該回線の前記クロック断検出信号およびクロック断アラームを出力させない。したがって、当該回線が接続されている場合にのみクロック断検出信号およびクロック断アラームの出力が可能となり、呼毎に回線接続を行う方式が含まれる通信網に接続する際にも、未接続の回線から誤ったクロック断検出およびアラームが発生することはない。
【００２５】
【発明の実施の形態】
以下、この発明の実施の形態を図面を参照して説明する。
【００２６】
図１および図２を参照してこの発明によるクロック従属選択回路の実施の形態を説明する。
【００２７】
図１は、この発明の実施の形態に係るクロック従属選択回路の構成を示している。図２は、図１におけるクロック断アラーム禁止部の具体的な構成を示している。
【００２８】
図１に示すクロック従属選択回路は、図４に示した構成におけるディジタル同期通信網１、回線収容インタフェース部部２ａ〜２ｄ、クロック断検出部３ａ〜３ｄ、優先順位制御部４およびセレクタ回路５とおおむね同様のディジタル同期通信網１１、回線収容インタフェース部部１２ａ〜１２ｄ、クロック断検出部１３ａ〜１３ｄ、優先順位制御部１４およびセレクタ回路１５を具備し、さらにクロック断アラーム禁止部１６ａ〜１６ｄを設けている。
【００２９】
すなわち、図１に示すクロック従属選択回路は、ディジタル同期通信網１１の複数の回線、例えば回線１〜回線４の４つの回線、にそれぞれ回線収容インタフェース部１２ａ〜１２ｄが接続され、これら各回線収容インタフェース部１２ａ〜１２ｄにクロック断検出部１３ａ〜１３ｄが各別に接続されている。
【００３０】
クロック断検出部１３ａ〜１３ｄは、回線収容インタフェース部１２ａ〜１２ｄから抽出した各回線のクロックが、予め定めた一定時間立ち上がらない場合に、当該回線のクロック断を検出する。これら複数のクロック断検出部１３ａ〜１３ｄからはクロック断検出信号がクロック断アラーム禁止部１６ａ〜１６ｄに供給される。
【００３１】
クロック断アラーム禁止部１６ａ〜１６ｄは、当該回線が接続状態にある場合、つまり当該回線から回線接続完了信号が出力されている場合で、且つ当該回線がクロック従属状態にある場合、つまり回線収容インタフェース部２ａ〜２ｄからクロック従属選択信号が出力されている場合にのみ、クロック断検出信号を優先順位制御部１４に供給するとともに、クロック断検出を示すアラーム出力を出力する。
【００３２】
優先順位制御部１４は、予め設定された優先度に従って各回線の優先順位を決定し、最も優先順位の高い優先回線の選択指示をセレクト回路部１５に供給する。優先順位制御部４は、接続状態にあり従属クロックとして選択されている最も優先順位の高い優先回線に障害が発生し、クロック断検出部１３ａ〜１３ｄでクロック断が検出された場合には、クロック断アラーム禁止部１６ａ〜１６ｄを介してそれを検出する。この場合、優先順位制御部１４は、当該回線の優先順位を例えば最下位に下げ、接続状態にあり且つクロック従属状態にある回線のうちで、その次に高い優先度を有する他の回線を最も高い優先順位とする。優先順位制御部１４は、クロック断が検出されていた回線のクロックが復旧した場合には、正常動作クロックが検出されている回線について、所定の優先度に従って優先順位を更新する。
【００３３】
セレクト回路部１５は、ディジタル同期通信網１１の回線１〜回線４が接続され、且つ優先順位制御部１４から優先回線の選択指示出力が与えられている。セレクト回路部１５は、優先順位制御部１４で最も高い優先順位に選定された優先回線を選択し、当該回線のクロックを抽出して、従属クロックとして出力する。
【００３４】
すなわち、図１に示すクロック従属選択回路においては、次のような動作により、従属クロックの選択を行っている。
【００３５】
デジタル同期通信網１１から複数の回線、例えば回線１〜回線４、を回線収容インタフェース部１２ａ〜１２ｄに接続する。これらの回線から、回線収容インタフェース部１２ａ〜１２ｄを介してクロック断検出部１３ａ〜１３ｄおよびクロック断アラーム禁止部１６ａ〜１６ｄにより正常動作クロックを検出する。そして、正常動作クロックが検出された回線のなかから優先順位制御部１４により最も優先順位の高い回線をセレクト回路部１５により選択し、その回線から抽出されたクロックを従属クロックに使用する。
【００３６】
いずれかの回線のクロックが立ち上がらない場合や回線障害発生時には、クロック断検出部１３ａ〜１３ｄにより、クロック断アラーム禁止部１６ａ〜１６ｄを介して、その回線が、接続状態にあり且つクロック従属状態にあれば、クロック断検出出力およびアラームを出力する。このとき、優先順位制御部１４は、所定の優先度に従って優先順位を変更する。つまり優先順位制御部１４は、クロック断検出信号が与えられた回線の優先順位を最下位に下げ、その他の回線の優先順位を上げて、他の回線にクロック従属先を切替える。
【００３７】
その後、優先度の高い回線のクロックが復旧した際には、クロック断検出部１３ａ〜１３ｄがそれを検出して、クロック断アラーム禁止部１６ａ〜１６ｄからのクロック断検出出力およびクロック断アラームの出力を解除する。クロック断検出の解除に応動して、優先順位制御部４が所定の優先度に従って優先順位を当初の状態に変更し、クロック従属先を元の回線に戻す。
【００３８】
クロック断アラーム禁止部１６ａ〜１６ｄの各々は、図２に示すように、論理ゲート１６１、およびアンドゲート１６２〜１６４を有する。なお、この場合、呼設定時にのみ回線を接続する回線は、ＩＳＤＮ回線として説明する。
【００３９】
アンドゲート１６２には、当該回線のＩＳＤＮ回線接続完了信号および回線収容インタフェース部１２ａ〜１２ｄからのクロック従属選択信号が入力される。ＩＳＤＮ回線接続完了信号は、“０”で未接続、“１”で接続完了とし、クロック従属選択信号は、“０”で未従属、“１”で従属状態とする。
【００４０】
論理ゲート１６１は、入力端子Ｄ０、Ｄ１およびＡを有し、且つ出力端子Ｙを有する。論理ゲート１６１の入力端子Ｄ０には、アンドゲート１６２の出力が入力され、入力端子Ｄ１には、上述したクロック従属選択信号が入力され、入力端子Ａには、図示していないスイッチ等で設定される回線指定信号が入力される。回線指定信号は、“０”でＩＳＤＮ回線を指定し、“１”で通常回線を指定する。
【００４１】
論理ゲート１６１は、入力端子Ａの入力が“０”のときは、入力端子Ｄ０およびＤ１の両者が“１”であれば、出力端子Ｙに“１”を出力し、そうでなければ“０”を出力する。また、論理ゲート１６１は、入力端子Ａの入力が“１”のときは、入力端子Ｄ０およびＤ１の如何にかかわらず、出力端子Ｙに“１”を出力する。
【００４２】
アンドゲート１６３には、論理ゲート１６１の出力端子Ｙの出力およびクロック断検出部１３ａ〜１３ｄのうちの対応する回線に該当する出力が入力される。クロック断検出部１３ａ〜１３ｄの出力は、クロック正常動作時に“０”であり、クロック断検出時に“１”となる。このアンドゲート１６３の出力は、“１”でアラームを発生する（“０”では何もしない）。
【００４３】
アンドゲート１６４には、論理ゲート１６１の出力端子Ｙの出力およびクロック断検出部１３ａ〜１３ｄのうちの対応する回線に該当する出力が反転されて入力される。このアンドゲート１６４の出力は、優先順位制御部１４に入力され、“０”のときは、クロック断であるのでクロック抽出禁止、“１”のときは、クロックは正常でありクロック抽出状態となる。
【００４４】
図２のクロック断アラーム禁止部の動作を具体例について説明する。
【００４５】
通常回線の場合には、論理ゲート１６１の入力端子Ａに“１”が与えらている。この場合、論理ゲート１６１の出力は、常時“１”であり、クロック断検出部１３ａ〜１３ｄの出力がそのままアンドゲート１６３から出力され、クロック断検出部１３ａ〜１３ｄの出力を反転した信号がアンドゲート１６４から出力される。この状態では、図４に示した従来のクロック従属選択回路の動作と変わるところはない。
【００４６】
ＩＳＤＮ回線の場合、全ての回線について、論理ゲート１６１の入力端子Ａに“０”を与え、ＩＳＤＮ回線接続状態に設定する（スイッチを“０”に設定）。回線接続状態は、回線１が接続されており、回線２〜回線４が未接続状態であるとする。このためＩＳＤＮ回線接続完了信号は、回線１が“１”となり、回線２〜回線４が“０”となる。また、クロック従属選択信号は、回線１〜回線４の全てについて、従属状態“１”とする。
【００４７】
したがって、回線１については、アンドゲート１６２の入力が全て“１”であり、論理ゲート１６１の入力端子Ｄ０およびＤ１が“１”であるので、入力端子Ａが“０”であっても、出力端子Ｙは“１”となる。また、回線２〜回線４については、アンドゲート１６２に入力されるクロック従属選択信号は“１”であるが、ＩＳＤＮ接続完了信号が“０”であり、論理ゲート１６１の入力端子Ｄ０が“０”であるので、論理ゲート１６１の入力端子Ｄ１が“１”で、入力端子Ａが“０”であっても、出力端子Ｙは“０”となる。
【００４８】
このような状態で、クロック断検出部１３ａから、回線１についてクロック正常動作の信号“０”が与えられると、アンドゲート１６３からは、“０”が出力されてアラームは発生せず、アンドゲート１６４からは、“１”が出力され、優先順位選択部１４に当該回線がクロック抽出状態であることを通知する。
【００４９】
このとき、回線２〜回線３は、未接続状態であるので、クロック断検出部１３ｂ〜１３ｄから、回線２〜回線３についてクロック断検出信号“１”が与えられると、論理ゲート１６１の出力端子Ｙが“０”であるので、アンドゲート１６３からは、“０”が出力されてアラームは発生せず、アンドゲート１６４からも、“０”が出力され、優先順位選択部１４に当該回線がクロック抽出状態でないことを通知する。
【００５０】
ちなみに、図３に示すように、回線１〜回線４が、全て呼毎に回線接続を行う回線であり、回線１のみが接続状態にあり、回線２〜回線３が未接続であったとする。この場合には、図５のように、回線自体からのクロック断またはアラームが発生していないにもかかわらず、回線２〜回線３のクロック断検出部３ｂ〜３ｄのクロック断アラームがオンとなることはなく、図３に示すように回線２〜回線３のクロック断検出部３ｂ〜３ｄのクロック断アラームも全てオフとなり、正常に動作する。
【００５１】
したがって、クロック断検出部１３ａ〜１３ｄでクロック断を検出した場合でも、ＩＳＤＮ回線が未接続状態であればアラームを発生することはない。
【００５２】
なお、図１においては、ディジタル同期通信網１１からの回線を、回線１〜回線４の４回線としているが、回線数が、３回線以下あるいは５回線以上の場合にも、回線毎の部分は上述とほぼ同様に構成する。
【００５３】
上述した構成は、全ての回線がＩＳＤＮ回線等の呼設定時にのみ回線を接続する専用回線であるディジタル同期通信網であっても、通常回線とＩＳＤＮ回線等の呼設定時にのみ回線を接続する専用回線とが混在するディジタル同期通信網であっても適用することができる。
【００５４】
【発明の効果】
以上説明したように、この発明によれば、呼毎に回線接続を行う方式が含まれる通信網に接続する際にも、未接続の回線からの誤ったクロック断検出およびアラームの発生のおそれのないクロック従属選択回路を提供することができる。
【図面の簡単な説明】
【図１】この発明の実施の形態に係るクロック従属選択回路の構成を示すブロック図である。
【図２】図１のクロック従属選択回路におけるクロック断アラーム禁止部の構成を示すブロック図である。
【図３】図１のクロック従属選択回路の動作を説明するための図である。
【図４】従来のクロック従属選択回路の構成を示すブロック図である。
【図５】図４のクロック従属選択回路の動作を説明するための図である。
【符号の説明】
１，１１                      ディジタル同期通信網
２ａ〜ｄ、１２ａ〜１２ｄ      回線収容インタフェース部
３ａ〜３ｄ、１３ａ〜１３ｄ    クロック断検出部
４，１４                      優先順位制御部
５，１５                      セレクト回路部
６，１６ａ〜１６ｄ            クロック断アラーム禁止部
１６１                        論理ゲート
１６２，１６３，１６４        アンドゲート
【図１】
0003686752.tif 000002
【図２】
0003686752.tif 000003
【図３】
0003686752.tif 000004
【図４】
0003686752.tif 000005
【図５】
0003686752.tif 000006